(57)【要約】【課題】指にはめて手を自然に動かしたときでも、装飾部材が回転しやすい指輪を提供する。【解決手段】指輪１０は、リング本体１２と、軸体１４と、ベアリング１６と、装飾体１８と、蓋体２０を備えている。軸体１４は、リング本体１２の孔に内側から装着される球体部１４ａを一端に備えている。また、軸体１４は、リング本体１２の外側に向かって設けられ、球体部１４ａを支点として可動である。ベアリング１６は、外輪１６ａと内輪１６ｂを備え、内輪１６ｂが軸体１４に固定されている。装飾体１８は、外輪１６ａと同期した回転をする装飾部材２４を備えている。【選択図】図２
2019141282.tif 000002
【特許請求の範囲】
【請求項１】
リング本体と、
前記リング本体に接続される接続部を一端に備え、前記接続部を支点として可動に、前記リング本体の外側に向かって設けられた軸体と、
外輪と内輪とを備え、前記内輪が前記軸体に固定されたベアリングと、
前記外輪と同期した回転をする装飾部材を備える装飾体と、
を有する指輪。
【請求項２】
請求項１において、
前記ベアリングの外径が１．０ｍｍ以上１．５ｍｍ以下である指輪。
【請求項３】
請求項１または２において、
前記装飾部材が前記ベアリングの周囲に設けられている指輪。
【請求項４】
請求項１から３のいずれかにおいて、
前記接続部が球形状を備え、
前記リング本体が孔を備え、
前記接続部が前記孔に装着されている指輪。
【請求項５】
請求項４において、
前記内輪を下から支持する縁部が前記孔の周囲に設けられている指輪。
【発明の詳細な説明】
【技術分野】
【０００１】
本発明は、宝石等の装飾部材が回転する指輪に関するものである。
【背景技術】
【０００２】
装飾性の向上のため、リングの外周面に突設された軸と、この軸の周方向に回転自在な可動飾体を備える指輪が知られている（特許文献１）。この指輪では、ベアリング等の軸受が軸に装着され、この軸受に可動飾体が装着されている。この指輪を指にはめて手を動かせば、可動飾体が自在に回転運動をする。しかしながら、軸受の外径が数ミリと小さくなると、この指輪を指にはめて手を自然に動かしても、可動飾体がほとんど回転しなくなる。
【先行技術文献】
【特許文献】
【０００３】
【特許文献１】実開平２−４４１３号公報
【発明の概要】
【発明が解決しようとする課題】
【０００４】
本発明はこのような事情に鑑みてなされたものであり、指にはめて手を自然に動かしたときに、装飾部材が回転しやすい指輪を提供することを目的とする。
【課題を解決するための手段】
【０００５】
本発明の指輪は、リング本体と、リング本体に接続される接続部を一端に備え、接続部を支点として可動に、リング本体の外側に向かって設けられた軸体と、外輪と内輪とを備え、内輪が軸体に固定されたベアリングと、外輪と同期した回転をする装飾部材を備える装飾体とを有している。
【発明の効果】
【０００６】
本発明の指輪では、軸体が、リング本体との接続部を支点として可動である。このため、本発明の指輪を指にはめて手を自然に動かしたとき、低い方に軸体が傾き、このときの勢いで装飾部材が軸体を軸とした振り子運動や回転運動をする。このように、本発明の指輪は装飾部材が回転しやすい。
【図面の簡単な説明】
【０００７】
【図１】実施形態の指輪の上方からの斜視図。
【図２】実施形態の指輪の分解図。
【図３】実施形態の指輪の正面図。
【図４】実施形態の指輪の上面図。
【図５】実施形態の指輪の右側面図。
【図６】実施形態の指輪の下方からの斜視図。
【図７】実施形態の指輪の断面拡大図。
【図８】図７に示す指輪の軸体が右側に傾いたときの断面拡大図。
【発明を実施するための形態】
【０００８】
以下、本発明の指輪について、図面を参照しながら実施形態に基づいて説明する。なお、図面は、指輪、指輪の構成部材、および指輪の周辺部材を模式的に表したものであり、これらの実物の寸法および寸法比は、図面上の寸法および寸法比と必ずしも一致していない。また、特にことわらない限り、本明細書では便宜上、図３に示す指輪の向きを基準に、上下左右などの方向を表す。重複説明は適宜省略し、同一部材には同一符号を付与することがある。
【０００９】
図１は、本発明の実施形態に係る指輪１０の外形を上方から示している。図２は図１の指輪１０を分解して示している。図３は指輪１０の正面を示している。図４は指輪１０の上面を示している。図５は指輪１０の右側面を示している。図６は指輪１０の外形を下方から示している。指輪１０は、リング本体１２と、軸体１４と、ベアリング１６と、装飾体１８と、蓋体２０を備えている。リング本体１２は指に装着される部分で、例えば金属製である。リング本体１２の形状、大きさ、材質等は特に制限がない。
【００１０】
リング本体１２の上部外表面には、突出部２２がリング本体１２と一体に設けられている。突出部２２は、下方の基台２２ａと、上方の縁部２２ｂとを備えている。縁部２２ｂの詳細については後述する。突出部２２の中心には、リング本体１２から上方に向かって、円柱形状の孔２２ｃが設けられている。また、リング本体１２には孔１２ａが設けられている。孔１２ａは、上部の開口面積が小さい円錐台形状を備えている。軸体１４は、リング本体１２に接続される接続部を一端に備えている。本実施形態では、接続部が球形状を備える球体部１４ａである。軸体１４は孔１２ａの下方からリング本体１２に装着され、球体部１４ａが孔１２ａの内壁で支持されている。
【００１１】
図７は、図３に示す指輪１０の一部を拡大して示している。なお、図７では、リング本体１２、軸体１４、ベアリング１６、装飾体１８の一部、および蓋体２０は、リング本体１２の開口面と平行にリング本体１２を二分割したときの断面で示している。図７に示すように、軸体１４は、リング本体１２の外側に向かって設けられ、リング本体１２との接続部である球体部１４ａを支点として可動である。なお、接続部を支点として軸体１４が可動であれば、軸体１４の球体部１４ａがリング本体１２の孔１２ａに装着されている以外の接続方式であってもよい。
【００１２】
ベアリング１６は、外輪１６ａと、内輪１６ｂと、これらの間に設けられたボール１６ｃを備えるボールベアリングである。ベアリング１６が目立たないように、ベアリング１６の外径は１．０ｍｍ以上１．５ｍｍ以下であることが好ましい。本実施形態では、外径が１．５ｍｍ、内径が０．５ｍｍのボールベアリング（ミネベアミツミ社製）を使用している。内輪１６ｂの内壁は軸体１４の外壁に固定されている。このため、外輪１６ａは軸体１４に対して回転可能である。
【００１３】
装飾体１８は、宝石などの装飾部材２４と、装飾部材２４を保持する台座２６とを備えている。台座２６は例えば金属製で、外輪１６ａに装着される環部２６ａと、装飾部材２４が取り付けられる台部２６ｂと、環部２６ａと台部２６ｂを接続する棒状の接続部２６ｃを備えている。本実施形態では、装飾部材２４は、ベアリング１６の周囲に設けられており、外輪１６ａと同期した回転をする。蓋体２０は、軸体１４とベアリング１６を覆い隠す機能を備えるとともに、装飾体１８がベアリング１６から、またはベアリング１６が軸体１４から抜けるのを防いでいる。蓋体２０は例えば金属製で、軸体１４の上面にレーザー接合されている。
【００１４】
つぎに、図２および図７を参照しながら、指輪１０の製造方法について説明する。まず、軸体１４の下端の球体部１４ａが孔１２ａに装着されるまで、リング本体１２の内側から外側に向かって、孔１２ａに軸体１４を通す。球体部１４ａ以外の軸体１４の外壁と、孔２２ｃの内壁には、例えば約０．１３ｍｍの隙間が形成される。そして、球体部１４ａが孔１２ａに装着された状態で、軸体１４は球体部１４ａを支点として、この隙間の範囲内で各方向に可動である。
【００１５】
本実施形態では孔１２ａが円錐台形状を備えているが、孔１２ａが、球体部１４ａの外形の一部と一致するような球面の凹部を設けた円錐台形状または円柱形状を備えていてもよい。孔１２ａが球体部１４ａの外形の一部と一致するような球面の凹部を設けた円錐台形状または円柱形状を備えている場合、球体部１４ａを孔１２ａに圧入すれば、軸体１４は、リング本体１２から抜けずに、球体部１４ａを支点として各方向に可動となる。
【００１６】
つぎに、台座２６の台部２６ｂに装飾部材２４が固定されている装飾体１８の環部２６ａの内側に、ベアリング１６を圧入する。そして、装飾体１８とベアリング１６が一体となった状態で、内輪１６ｂを軸体１４の上方から圧入し、内輪１６ｂが縁部２２ｂによって下から支持されるようにする。なお、この手順に代えて、ベアリング１６を軸体１４に圧入した後に、装飾体１８の環部２６ａをベアリング１６に圧入してもよい。つぎに、軸体１４の上面に蓋体２０をレーザー接合する。こうして指輪１０が作製される。縁部２２ｂは、図７に示すように、上部が凸曲面になっており、内輪１６ｂの下面と円形状に線接触している。
【００１７】
図８は、図７の指輪１０の軸体１４が右側に傾いたときの指輪１０の一部を拡大して示している。縁部２２ｂの上部の凸曲面が内輪１６ｂの下面と円形状に線接触しているため、指輪１０が右側に傾けば、図８に示すように、球体部１４ａの中心Ｃを支点として軸体１４も右側に傾く。このように、指輪１０を指にはめて手を自然に動かしたとき、低い方に軸体１４が傾き、このときの勢いで、装飾部材２４が軸体１４を軸とした振り子運動をする。手の動かし方によっては、装飾部材２４が軸体１４を軸とした回転運動をすることもある。本発明の指輪は、従来の指輪と比べて、振り子運動や回転運動しやすい。
【符号の説明】
【００１８】
１０    指輪
１２    リング本体
１２ａ  孔
１４    軸体
１４ａ  球体部
１６    ベアリング
１６ａ  外輪
１６ｂ  内輪
１６ｃ  ボール
１８    装飾体
２０    蓋体
２２    突出部
２２ａ  基台
２２ｂ  縁部
２２ｃ  孔
２４    装飾部材
２６    台座
２６ａ  環部
２６ｂ  台部
２６ｃ  接続部
Ｃ      中心
【図１】
2019141282.tif 000003
【図２】
2019141282.tif 000004
【図３】
2019141282.tif 000005
【図４】
2019141282.tif 000006
【図５】
2019141282.tif 000007
【図６】
2019141282.tif 000008
【図７】
2019141282.tif 000009
【図８】
2019141282.tif 000010